(57)【要約】【課題】マルチキャスト放送サービスにおいて第２音声を視聴している時に、受信状況が悪化した場合にも、ユーザに違和感なく、音声出力を継続することが可能なデジタルラジオ受信装置を提供することを目的とする。【解決手段】アナログ放送搬送波とデジタル放送搬送波とを含み、前記デジタル放送搬送波は第１音声と第２音声とを含むマルチキャスト放送搬送波であるハイブリッド搬送波を受信し、マルチキャスト搬送波に含まれる複数の音声の内の何れかの音声の受信状態が悪化した時に、前記マルチキャスト搬送波に含まれる複数の音声の他の音声を出力するように切替える制御部（６０）を有することを特徴とするラジオ受信装置（１）。【選択図】図７
2010136183.tif 000002
【特許請求の範囲】
【請求項１】
アナログ放送搬送波とデジタル放送搬送波とを含み、前記デジタル放送搬送波は第１音声と第２音声とを含むマルチキャスト放送搬送波であるハイブリッド搬送波を受信するラジオ受信装置であって、
前記マルチキャスト搬送波に含まれる複数の音声の内の何れかの音声の受信状態が悪化した時に、前記マルチキャスト搬送波に含まれる複数の音声の他の音声を出力するように切替える制御部と、
を有することを特徴とするラジオ受信装置。
【請求項２】
前記制御部は、前記第１音声を出力している場合に、第１の閾値と前記第１音声の受信状態を示す検出信号とを比較し、比較結果に応じて、前記第１音声から前記アナログ放送搬送波に基づく音声に切り替えて出力するように制御する、請求項１に記載のラジオ受信装置。
【請求項３】
アナログ放送搬送波とデジタル放送搬送波とを含み、前記デジタル放送搬送波は第１音声と第２音声とを含むマルチキャスト放送搬送波であるハイブリッド搬送波を受信するラジオ受信装置であって、
音声データを記録するための記録部と、
前記マルチキャスト搬送波に含まれる複数の音声の内の何れかの音声の受信状態が悪化した時に、前記記録部に記録された音声データに基づく音声に切り替えて出力するように制御する制御部と、
を有することを特徴とするラジオ受信装置。
【請求項４】
アナログ放送搬送波とデジタル放送搬送波とを含み、前記デジタル放送搬送波は第１音声と第２音声とを含むマルチキャスト放送搬送波であるハイブリッド搬送波を受信するラジオ受信装置であって、
前記マルチキャスト搬送波に含まれる複数の音声の内の何れかの音声の受信状態が悪化した時に、他のチャンネルの放送搬送波に基づく音声に切り替えて出力するように制御する制御部と、
を有することを特徴とするラジオ受信装置。
【請求項５】
アナログ放送搬送波とデジタル放送搬送波とを含み、前記デジタル放送搬送波は第１音声と第２音声とを含むマルチキャスト放送搬送波であるハイブリッド搬送波を受信するラジオ受信装置であって、
前記マルチキャスト搬送波に含まれる複数の音声を記録するための記録部と、
前記マルチキャスト搬送波に含まれる複数の音声の内の何れかの音声を前記記録部に所定時間分記録後、記録済みの音声を順次出力した場合に、出力中の音声の受信状態が悪化した時には、前記記録部に記録されている音声に切り替えて出力するように制御する制御部と、
を有することを特徴とするラジオ受信装置。
【発明の詳細な説明】
【技術分野】
【０００１】
本発明は、ラジオ受信装置に関し、特に米国の地上波デジタル音声放送であるＩＢＯＣ（In Band on Channel)方式等のＨＤ（High Definition)ラジオに用いられるハイブリッド放送搬送波を受信するラジオ受信装置に関するものである。
【背景技術】
【０００２】
ＩＢＯＣ方式のＨＤラジオに用いられるハイブリッド放送搬送波ではアナログ放送搬送波にデジタル放送搬送波を追加されている。このようなハイブリッド放送搬送波におけるデジタル放送搬送波は、周波数帯域上でアナログ放送搬送波に隣接した両側に位置するよう配置されている。また、ＨＤラジオ放送では、同じチャンネルの放送を、高音質なデジタル放送とノイズ耐性の強いアナログ放送との両方で視聴することができるサイマル放送サービスが行われている（例えば、特許文献１参照）。
【０００３】
このようなハイブリッド放送搬送波を受信するための受信機では、放送搬送波を発信する放送局などからの距離が遠くなると、デジタル放送搬送波の受信状況が悪化し、音切れやノイズの増加等が発生することから、デジタル放送からノイズ耐性の強いアナログ放送への切り替えを行っていた（例えば、特許文献２参照）。
【０００４】
【特許文献１】特開２００７−１４２７１３号公報
【特許文献２】特開２００５−１２５９５号公報
【発明の開示】
【発明が解決しようとする課題】
【０００５】
ところで、最近、ＨＤラジオ放送では、デジタル放送おいて第１音声と、第１音声の副音声として第２音声を放送するマルチキャスト放送サービスが開始されている。ＨＤラジオ放送では、上述したサイマル放送サービスによって、同じチャンネルの同じ放送内容についてアナログ放送とデジタル放送という２種類の放送を受信することができるので、高音質のデジタル放送の受信状況が悪化した場合には、アナログ放送に切り替えることができた。しかしながら、デジタル放送の第２音声に対応するアナログ放送が存在しないことから、デジタル放送の第２音声を視聴していた時に、受信状況が悪化した場合については、何ら考慮されていなかった。
【０００６】
そこで、本発明は、マルチキャスト放送サービスにおいて第２音声を視聴している時に、受信状況が悪化した場合にも、ユーザに違和感なく、音声出力を継続することが可能なラジオ受信装置を提供することを目的とする。
【課題を解決するための手段】
【０００７】
本発明に係るラジオ受信装置は、アナログ放送搬送波とデジタル放送搬送波とを含み、前記デジタル放送搬送波は第１音声と第２音声とを含むマルチキャスト放送搬送波であるハイブリッド搬送波を受信し、マルチキャスト搬送波に含まれる複数の音声の内の何れかの音声の受信状態が悪化した時に、マルチキャスト搬送波に含まれる複数の音声の他の音声を出力するように切替える制御部を有することを特徴とする。
【０００８】
また、本発明に係るラジオ受信装置は、アナログ放送搬送波とデジタル放送搬送波とを含み、前記デジタル放送搬送波は第１音声と第２音声とを含むマルチキャスト放送搬送波であるハイブリッド搬送波を受信し、音声データを記録するための記録部と、マルチキャスト搬送波に含まれる複数の音声の内の何れかの音声の受信状態が悪化した時に、記録部に記録された音声データに基づく音声に切り替えて出力するように制御する制御部を有することを特徴とする。
【０００９】
さらに、本発明に係るラジオ受信装置は、アナログ放送搬送波とデジタル放送搬送波とを含み、前記デジタル放送搬送波は第１音声と第２音声とを含むマルチキャスト放送搬送波であるハイブリッド搬送波を受信し、マルチキャスト搬送波に含まれる複数の音声の内の何れかの音声の受信状態が悪化した時に、他のチャンネルの放送搬送波に基づく音声に切り替えて出力するように制御する制御部を有することを特徴とする。
【００１０】
さらに、本発明に係るラジオ受信装置は、アナログ放送搬送波とデジタル放送搬送波とを含み、前記デジタル放送搬送波は第１音声と第２音声とを含むマルチキャスト放送搬送波であるハイブリッド搬送波を受信し、マルチキャスト搬送波に含まれる複数の音声を記録するための記録部と、マルチキャスト搬送波に含まれる複数の音声の内の何れかの音声を前記記録部に所定時間分記録後、記録済みの音声を順次出力した場合に、出力中の音声の受信状態が悪化した時には、記録部に記録されている音声に切り替えて出力するように制御する制御部を有することを特徴とする。
【発明の効果】
【００１１】
本発明に係るラジオ受信装置によれば、マルチキャスト放送サービスにおいて第２音声を視聴している時に、受信状況が悪化した場合には、できるだけ、第２音声を継続して視聴することが可能となった。
【００１２】
また、本発明に係るラジオ受信装置によれば、マルチキャスト放送サービスにおいて第２音声を視聴している時に、受信状況が悪化した場合には、アナログ放送に基づく音声に切り替えて出力することができるので、突然音声出力が途切れて、ユーザに違和感を与えることを防止することが可能となった。
【００１３】
さらに、本発明に係るラジオ受信装置によれば、マルチキャスト放送サービスにおいて第２音声を視聴している時に、受信状況が悪化した場合には、予め蓄積されている音声データに基づく音声に切り替えて出力することができるので、突然音声出力が途切れて、ユーザに違和感を与えることを防止することが可能となった。
【００１４】
さらに、本発明に係るラジオ受信装置によれば、マルチキャスト放送サービスにおいて第２音声を視聴している時に、受信状況が悪化した場合には、その時点で良好に受信可能なチャンネルの音声に切り替えて出力することができるので、突然音声出力が途切れて、ユーザに違和感を与えることを防止することが可能となった。
【００１５】
さらに、本発明に係るラジオ受信装置によれば、マルチキャスト放送サービスにおいて第２音声を視聴している時に、受信状況が悪化した場合には、バッファに蓄えられた所定時間分の音声に切り替えて出力することができるので、突然音声出力が途切れて、ユーザに違和感を与えることを防止することが可能となった。
【発明を実施するための最良の形態】
【００１６】
以下図面を参照して、本発明に係るラジオ受信装置について説明する。なお、以下では、ラジオ受信装置１は、サイマル放送サービス及びマルチキャスト放送サービスに基づくＩＢＯＣ方式のＨＤラジオにおけるハイブリッド放送搬送波を受信するものとし、アナログ放送搬送波に基づく音声とデジタル放送搬送波の第１音声とは同じ番組の同じ放送内容であるが、デジタル放送搬送波の第２音声とデジタル放送搬送波の第１音声とは同じ番組ではあるが、異なった放送内容であるものとする（即ち、第２音声は、第１音声の副音声に対応する）。
【００１７】
図１は、本発明に係るラジオ受信装置（ＦＭ放送用）の概略構成を示すブロック図である。
【００１８】
ラジオ受信装置１は、前処理部２０、デジタル信号処理部４０、ＩＢＯＣ処理部５０、ＣＰＵ、ＲＯＭ、ＲＡＭ等から構成される制御部６０、各種メモリ等から構成される記憶部７０、及び操作部８０等から構成され、アンテナ１０及びスピーカ等から構成される音声出力部９０と接続されている。
【００１９】
前処理部２０は、チューナとして動作し、アンテナ１０からの信号を受信する電子同調方式の同調回路２１、ＲＦ（Radio Frequency）増幅回路２２、ＲＦ−ＡＧＣ（Auto Gain Control）回路２３、第１混合回路２４、第１局所発振回路２５及びＰＬＬ選局回路２６、ＩＦ（Intermediate Frequency）フィルタ回路２７等から構成され、制御部６０によって制御される。ＲＦ増幅回路２２は、ＲＦ−ＡＧＣ回路２３によってゲイン調整がなされるように構成されている。第１局所発振回路２５は、ＰＬＬシンセサイザ方式で、制御部６０からの制御信号に応じてＰＬＬ選局回路２６から供給されるＰＬＬ制御信号に従い、所定の周波数ステップで第１局所発振信号を生成する。ＲＦ増幅回路２２で増幅された高周波の受信信号は第１混合回路２４で第１局所発振信号と混合されて中間周波数信号に変換され、ＩＦフィルタ回路２７に入力される。
【００２０】
ＩＦフィルタ回路２７は、約２００ＫＨｚの帯域幅を有するＢＰＦ（band Pass Filter）を含み、入力された中間周波数信号の中心周波数に対して所定の帯域に含まれる成分を抽出するアナログフィルタである。
【００２１】
デジタル信号処理部４０は、ＩＦ増幅回路４１、Ａ／Ｄ変換回路４２、第２局所発振回路４３、第２混合回路４４、ＩＦプロセッサ回路４５、ＩＦ−ＡＧＣ回路４６、切換回路４７及びＤ／Ａ変換回路４８等から構成され、制御部６０によって制御される。ＩＦ増幅回路４１は、ＩＦ−ＡＧＣ回路４６によってゲイン調整がなされるように構成されている。
【００２２】
ＩＦフィルタ回路２７を通過したＩＦ周波数信号は、ＩＦ増幅回路４１で増幅され、Ａ／Ｄ変換回路４２においてデジタル信号に変換されて、第２局所発振回路４３から出力される第２局所発振信号と第２混合回路４４において混合され、ＩＦプロセッサ回路４５に入力される。ＩＦプロセッサ回路４５は、アナログ放送搬送波の音声信号を切換回路４７に出力し、デジタル放送搬送波の信号をＩＢＯＣ処理部５０に出力する。ＩＦプロセッサ回路４５については、後述する。
【００２３】
ＩＢＯＣ処理部５０は、復調部５１及びチャンネルデコーダ５２等から構成され、制御部６０によって制御される。復調部５１は、デジタル放送搬送波に含まれるＯＦＤＭ（直交周波数分割変調）副搬送波を復調する機能を有している。復調された信号が音声信号の場合には、チャンネルデコーダ５２によって第１音声及び第２音声（副音声）のそれぞれの音声信号が生成され、切換回路４７に出力される。また、復調部５１は、復調時にＢＥＲ（Bit Error Raito）を検出して、ＢＥＲを示す検出信号を制御部６０へ送出する。
【００２４】
なお、復調部５１において復調された信号にテキストデータや映像データが含まれる場合には、不図示の専用デコーダによってテキストデータや映像データが生成され、記憶部７０に記憶される。記憶されたテキストデータや映像データは、表示部（不図示）に所定のタイミングで表示等される。なお、テキストデータや映像データが生成されている場合には、現在復調されている放送波がデジタル放送搬送波であると判別することもできる。
【００２５】
制御部６０は、アナログ放送搬送波の音声信号、デジタル放送搬送波からデコードされた第１音声信号、及びデジタル放送搬送波からデコードされた第２音声信号の何れか一方を選択するように切換回路４７を制御する。切換回路４７によって選択された音声信号は、Ｄ／Ａ変換回路４８によってアナログ信号に変換されて、車載スピーカ等の出力手段９０に出力される。また、制御部６０は、復調部５１から受信したＢＥＲ検出信号に基づいて、デジタル放送搬送波の受信状況を判断して、デジタル放送搬送波からデコードされた音声信号から他の音声出力への切り替えを行う。
【００２６】
操作部８０は、チューニング用、ボリューム設定用等の各種ボタンやつまみを含む。また、操作部８０には、少なくとも上向き（周波数が増加する方向）シーク用ボタン及び下向き（周波数が減少する方向）シーク用ボタンを含むものとする。
【００２７】
図２は、ＩＢＯＣ方式のＨＤラジオで用いられるハイブリッド放送搬送波（ＦＭ）のプロファイルを示した図である。
【００２８】
図２に示すように、アナログ放送搬送波（ＦＭアナログ信号）２０１の周波数帯域上の上側帯及び下側帯に隣接して、それぞれデジタル放送搬送波２０２及び２０３が配置されている。デジタル放送搬送波２０２及び２０３は、例えば、ＯＦＤＭ変調された複数の副搬送波から構成され、図示されるように、ＦＭアナログ信号の中心周波数から１３０ｋＨｚ〜１９９ｋＨｚ及び−１３０ｋＨｚ〜−１９９ｋＨｚ離れたスペクトルを占領している。さらに、デジタル放送搬送波２０２及び２０３のピーク値は、ＦＭアナログ信号のピーク値に対して−２５ｄＢ／ｋＨｚに設定されている。
【００２９】
また、マルチキャスト放送サービスが実施される場合には、デジタル放送搬送波２０２及び２０３に含まれる複数の副搬送波からは、複数種類の音声出力、例えば、第１音声と、第１音声の副音声としての第２音声を再生することができる。
【００３０】
図３は、受信エリア等について説明するための図である。
【００３１】
図３において、車両２に図１に示したラジオ受信装置１が搭載されているものとする。所定のチャンネルの放送波を発信する放送局３から所定の距離範囲では（山や高い建物等の障害物によって多少変化するが）、良好にデジタル放送波を受信することが可能なデジタル受信エリア４と、良好には受信することはできないが、何とか受信可能なフリンジエリア５とが存在する。フリンジエリア５の外側は、デジタル放送波をほぼ受信することができないデジタル受信エリア外となる。
【００３２】
図４は、ＣＮ比と放送局からの距離の関係を示す図である。
【００３３】
図４に示す様に、放送局からの距離が近い場合には、ＣＮ比は大きく、音声品質は高い。放送局からの距離が次第に大きくなると、ＣＮ比は低く、音声品質は低くなる。図１に示すラジオ受信装置１では、制御部６０が、ＣＮ比として復調部５１が検出したＢＥＲ検出信号を用いてデジタル放送の音声品質を管理し、通常であれば、ＢＥＲが予め定められた閾値Ｓ１より低くなると、音声品質が低下したと見なして、デジタル放送からアナログ放送に切り替えるように切換部４７を制御する。即ち、ＢＥＲの値が閾値Ｓ１の付近となるあたりが、図３のフリンジエリアに相当する。
【００３４】
図５は、マルチキャスト放送サービスにおいて第２音声を視聴している時に、受信状況が悪化した場合の第１の処理の概略を示す図である。
【００３５】
第１の処理では、ラジオ受信装置１を搭載する車両２が、マルチキャスト放送サービスにおいて第２音声を視聴している時に、デジタル受信エリア（図３の領域４）からフリンジエリア（図３の領域５）に移動して、ＢＥＲが通常の閾値Ｓ１（図４参照）より下がった場合（Ｐ１）には、閾値をＳ１からＳ２（図４参照）に低下させ、低下した閾値Ｓ２よりＢＥＲが低下するまで、第２音声を視聴するように構成した。
【００３６】
さらに、車両２がフリンジエリアの外側に移動して、ＢＥＲが低下された閾値Ｓ２より下がった場合（Ｐ２）には、制御部６０は、ブレンド操作を行って、アナログ放送に基づく音声に切り替えるように構成した。
【００３７】
図６は、ブレンド操作の概略を示す図である。
【００３８】
時刻ｔ０においてブレンド操作が開始された場合、制御部６０は、切換部４７を制御して、それまで視聴していたマルチキャスト放送サービスにおけるデジタルの第２音声（ＨＤ２（デジタル））の音声レベルを徐々に低下させ、同時にこれから視聴するアナログ放送（ＨＤ（アナログ））の音声レベルをフェードインさせる。ＨＤ２（デジタル）の音声レベルをさらに下げ、代わりにＨＤ１（アナログ）の音声レベルを徐々に上げ、時刻ｔ１において、ＨＤ２（デジタル）の音声レベルとＨＤ１（アナログ）の音声レベルが入れ替わるように制御する。時刻ｔ０からｔ１までの期間は、予め定めておいても良いし、ユーザが操作部８０を利用して調整できるようにしても良い。
【００３９】
このようなブレンド操作によって、ＨＤ２（デジタル）の音声出力からＨＤ１（アナログ）の音声出力へ、シームレスに移行するため、放送内容が異なっていても、できるだけユーザに違和感を与えない制御が可能となる。なお、ブレンド操作に合わせて、低域音声をモノラルに変える自己分離制御（ＡＳＣ）等を合わせて行うようにしても良い。
【００４０】
図７は、第１の処理フローを示す図である。
【００４１】
図７に示す処理フローは、図５に示す処理に基づくものであり、制御部６０が、予め記憶部７０等に記憶されたプログラムに従い、ラジオ受信装置１の各要素と協働して実行する。図７に示す処理フローが実行される時点で、ラジオ受信装置１の各要素には、不図示の電源回路から電力が供給され、動作可能な状態に維持されているものとする。
【００４２】
最初に制御部６０は、復調部５１から検出されたデジタル放送に関するＢＥＲを取得する（Ｓ１０）。
【００４３】
次に、制御部６０は、現在ＨＤ２（デジタル）がユーザによって選択されているか否かの判断を行い（Ｓ１１）、ＨＤ２（デジタル）が選択されていない場合には、ＨＤ１（デジタル）が選択されているか否かの判断を行う（Ｓ１２）。
【００４４】
Ｓ１２においてＨＤ１（デジタル）が選択されていない場合には、ＨＤ１（アナログ）が選択されていることとなり、切り替え制御が不要であるので、そこで一連の処理を終了する。
【００４５】
Ｓ１２においてＨＤ１（デジタル）が選択されている場合には、制御部６０は、Ｓ１０で取得したＢＥＲが、通常の閾値Ｓ１（図４参照）より低いか否かの判断を行い（Ｓ１３）、閾値Ｓ１よりＢＥＲが高い場合にはそのままＨＤ１（デジタル）の選択を継続し（Ｓ１４）、閾値Ｓ１よりＢＥＲが低い場合にはＨＤ１（アナログ）に変更して（Ｓ１５）、一連の処理を終了する。ＨＤ１（デジタル）とＨＤ１（アナログ）は、サイマル放送サービスによって、同じ番組内容であるので、そのまま切り替えを行えば良い。なお、切り替えに際しては、図６に示したブレンド操作を行うようにしても良い。
【００４６】
Ｓ１１においてＨＤ２（デジタル）が選択されていた場合には、制御部６０は、通常の閾値Ｓ１から、より低い閾値Ｓ２（図４参照）に閾値を変更する（Ｓ１６）。次に、制御部６０は、Ｓ１０で取得したＢＥＲが、Ｓ１６で変更された閾値Ｓ２よりも低いか否かの判断を行い（Ｓ１７）、閾値Ｓ２よりＢＥＲが高い場合には、そのままＨＤ２（デジタル）の選択を継続し（Ｓ１８）、閾値Ｓ２よりＢＥＲが低い場合にはＨＤ１（アナログ）に変更する（Ｓ１９）。Ｓ１９における、ＨＤ２（デジタル）からＨＤ１（アナログ）への切り替えは、前述した図６に新巣ブレンド操作によって実行される。
【００４７】
Ｓ１８及びＳ１９の後に、制御部６０は、閾値Ｓ２を閾値Ｓ１へ復帰させて、一連の処理を終了する。また、制御部６０は、所定の時間周期で、図７に示す処理フローを繰り返し実行する。
【００４８】
このように、図７に示す第１の処理フローでは、ＨＤ２（デジタル）が選択されている場合には、閾値を通常の閾値より下げて、できるだけＨＤ２（デジタル）が視聴できるように制御している。したがって、マルチキャスト放送サービスにおいて第２音声を視聴している時に、受信状況が悪化した場合にも、できるだけ、第２音声を視聴することが可能となった。
【００４９】
図８は、マルチキャスト放送サービスにおいて第２音声を視聴している時に、受信状況が悪化した場合の第２の処理の概略を示す図である。
【００５０】
第２の処理では、ラジオ受信装置１を搭載する車両２が、マルチキャスト放送サービスにおいてＨＤ２（デジタル）を視聴している時に、デジタル受信エリア（図３の領域４）からフリンジエリア（図３の領域５）に移動して、ＢＥＲが通常の閾値Ｓ１（図４参照）より下がった場合（Ｐ３）には、ＨＤ１（アナログ）を視聴するように構成した。なお、ＨＤ２（デジタル）からＨＤ１（アナログ）への切り替えは、図６に示すブレンド操作を行うように構成した。
【００５１】
図９は、第２の処理フローを示す図である。
【００５２】
図９に示す処理フローは、図８に示す処理に基づくものであり、制御部６０が、予め記憶部７０等に記憶されたプログラムに従い、ラジオ受信装置１の各要素と協働して実行する。図９に示す処理フローが実行される時点で、ラジオ受信装置１の各要素には、不図示の電源回路から電力が供給され、動作可能な状態に維持されているものとする。
【００５３】
最初に制御部６０は、復調部５１から検出されたデジタル放送に関するＢＥＲを取得する（Ｓ３０）。
【００５４】
次に、制御部６０は、現在ＨＤ２（デジタル）がユーザによって選択されているか否かの判断を行い（Ｓ３１）、ＨＤ２（デジタル）が選択されていない場合には、ＨＤ１（デジタル）が選択されているか否かの判断を行う（Ｓ３２）。
【００５５】
Ｓ３２においてＨＤ１（デジタル）が選択されていない場合には、ＨＤ１（アナログ）が選択されていることとなり、切り替え制御が不要であるので、そこで一連の処理を終了する。
【００５６】
Ｓ３２においてＨＤ１（デジタル）が選択されている場合には、制御部６０は、Ｓ３０で取得したＢＥＲが、通常の閾値Ｓ１（図４参照）より低いか否かの判断を行い（Ｓ３３）、閾値Ｓ１よりＢＥＲが高い場合にはそのままＨＤ１（デジタル）の選択を継続し（Ｓ１４）、閾値Ｓ１よりＢＥＲが低い場合にはＨＤ１（アナログ）に変更して（Ｓ３５）、一連の処理を終了する。ＨＤ１（デジタル）とＨＤ１（アナログ）は、サイマル放送サービスによって、同じ番組内容であるので、そのまま切り替えを行えば良い。なお、切り替えに際しては、図６に示したブレンド操作を行うようにしても良い。
【００５７】
Ｓ３１においてＨＤ２（デジタル）が選択されていた場合には、制御部６０は、Ｓ３０で取得したＢＥＲが、通常の閾値Ｓ１よりも低いか否かの判断を行い（Ｓ３６）、閾値Ｓ１よりＢＥＲが高い場合には、そのままＨＤ２（デジタル）の選択を継続し（Ｓ３７）、閾値Ｓ１よりＢＥＲが低い場合にはＨＤ１（アナログ）に変更して（Ｓ３８）、一連の処理を終了する。Ｓ３８における、ＨＤ２（デジタル）からＨＤ１（アナログ）への切り替えは、前述した図６に示したブレンド操作によって実行される。
【００５８】
このように、図９に示す第２の処理フローでは、マルチキャスト放送サービスにおいて第２音声を視聴している時に、受信状況が悪化した場合には、アナログ放送に基づく音声に切り替えて出力することができるので、突然音声出力が途切れて、ユーザに違和感を与えることを防止することが可能となった。
【００５９】
図１０は、マルチキャスト放送サービスにおいて第２音声を視聴している時に、受信状況が悪化した場合の第３の処理の概略を示す図である。
【００６０】
第３の処理では、ラジオ受信装置１を搭載する車両２が、マルチキャスト放送サービスにおいてＨＤ２（デジタル）を視聴している時に、デジタル受信エリア（図３の領域４）からフリンジエリア（図３の領域５）に移動して、ＢＥＲが通常の閾値Ｓ１（図４参照）より下がった場合（Ｐ４）には、予め記憶部７０に蓄積されているデータに基づく音声を出力するように構成した。なお、ＨＤ２（デジタル）から蓄積されているデータに基づく音声への切り替えは、図６に示すブレンド操作を行うように構成した。
【００６１】
図１１は、第３の処理フローを示す図である。
【００６２】
図１１に示す処理フローは、図１０に示す処理に基づくものであり、制御部６０が、予め記憶部７０等に記憶されたプログラムに従い、ラジオ受信装置１の各要素と協働して実行する。図１１に示す処理フローが実行される時点で、ラジオ受信装置１の各要素には、不図示の電源回路から電力が供給され、動作可能な状態に維持されているものとする。
【００６３】
最初に制御部６０は、復調部５１から検出されたデジタル放送に関するＢＥＲを取得する（Ｓ４０）。
【００６４】
次に、制御部６０は、現在ＨＤ２（デジタル）がユーザによって選択されているか否かの判断を行い（Ｓ４１）、ＨＤ２（デジタル）が選択されていない場合には、ＨＤ１（デジタル）が選択されているか否かの判断を行う（Ｓ４２）。
【００６５】
Ｓ４２においてＨＤ１（デジタル）が選択されていない場合には、ＨＤ１（アナログ）が選択されていることとなり、切り替え制御が不要であるので、そこで一連の処理を終了する。
【００６６】
Ｓ４２においてＨＤ１（デジタル）が選択されている場合には、制御部６０は、Ｓ４０で取得したＢＥＲが、通常の閾値Ｓ１（図４参照）より低いか否かの判断を行い（Ｓ４３）、閾値Ｓ１よりＢＥＲが高い場合にはそのままＨＤ１（デジタル）の選択を継続し（Ｓ４４）、閾値Ｓ１よりＢＥＲが低い場合にはＨＤ１（アナログ）に変更して（Ｓ４５）、一連の処理を終了する。ＨＤ１（デジタル）とＨＤ１（アナログ）は、サイマル放送サービスによって、同じ番組内容であるので、そのまま切り替えを行えば良い。なお、切り替えに際しては、図６に示したブレンド操作を行うようにしても良い。
【００６７】
Ｓ４１においてＨＤ２（デジタル）が選択されていた場合には、制御部６０は、Ｓ４０で取得したＢＥＲが、通常の閾値Ｓ１よりも低いか否かの判断を行い（Ｓ４６）、閾値Ｓ１よりＢＥＲが高い場合には、そのままＨＤ２（デジタル）の選択を継続し（Ｓ４７）、閾値Ｓ１よりＢＥＲが低い場合には蓄積されているデータに基づく音声に変更して（Ｓ４８）、一連の処理を終了する。Ｓ４８における、ＨＤ２（デジタル）から蓄積されているデータに基づく音声への切り替えは、前述した図６に示したブレンド操作によって実行される。
【００６８】
ラジオ受信装置１においては、ＨＤ２（デジタル）の音声を、復調部５１において復調処理が完了したものから直ぐに出力するように制御することもできるが、定常的に、一旦バッファー（記憶部７０）に、数秒〜数十秒分貯めておき、先に蓄積されたデータから順次、音声出力手段へ出力するように制御することができる。その場合、ＨＤ２（デジタル）の受信状況が悪化して、ＢＥＲが閾値Ｓ１以下となっても、バッファーには、数秒〜数十秒分の音声データが蓄積されていることとなる。したがって、図１１に示す第３の処理フローにおけるＳ３８において、この蓄積されたデータを出力するように制御することができる。これによって、実際には、ＨＤ２（デジタル）の受信が困難な状況においても、少しの時間だけ、ＨＤ２（デジタル）放送を視聴することが可能となる。なお、全ての蓄積データを出力してしまった際に、再度ＢＥＲと閾値Ｓ１との比較を行い、依然ＢＥＲが閾値Ｓ１以下の場合に、始めてＨＤ１（アナログ）に切り替えるように制御しても良い。
【００６９】
また、ラジオ受信装置１が、良好にＨＤ２（デジタル）又はＨＤ１（デジタル）を受信している間に、不特定の音声データをバッファー（記憶部７０）に、数秒〜数十秒分貯めておき（ガーベージコレクション）、図１１に示す第３の処理フローにおけるＳ３８において、この蓄積されたデータを出力するように制御することができる。これによって、実際には、ＨＤ２（デジタル）の受信が困難な状況においても、音切れを起こすことなく、何らかの音声を出力することが可能となる。この場合、所定間隔で、ＢＥＲと閾値Ｓ１との比較を行い、ＢＥＲが閾値Ｓ１以上に復帰したら、再度ＨＤ２（デジタル）の音声出力を行うように制御しても良い。
【００７０】
さらに、ＨＤ２（デジタル）を受信する場合には、必ずバッファー（記憶部７０）に所定時間分（数秒〜数十秒分）蓄積してから、音声を出力するように構成することができる。即ち、常にバッファーには所定時間分（数秒〜数十秒分）のマージンを持たせておくことができ、図１１に示す第３の処理フローにおけるＳ３８において、このバッファーに蓄積されたデータを出力するように制御することができる。これによって、実際には、ＨＤ２（デジタル）の受信が困難な状況においても、音切れを起こすことなく、何らかの音声を出力することが可能となる。
【００７１】
このように、図１１に示す第３の処理フローでは、マルチキャスト放送サービスにおいて第２音声を視聴している時に、受信状況が悪化した場合には、予め蓄積されている音声データに基づく音声に切り替えて出力することができるので、突然音声出力が途切れて、ユーザに違和感を与えることを防止することが可能となった。
【００７２】
図１２は、本発明に係る他のラジオ受信装置（ＦＭ放送用）の概略構成を示すブロック図である。
【００７３】
ラジオ受信装置１００と、図１に示すラジオ受信装置１との差異は、ラジオ受信装置１００が、前処理部（チューナ部）２０と同じ構成の他の前処理部３０、前処理部３０用のアンテナ１１、及び前処理部２０と前処理部３０とを切り替えて利用するための切り替え部１０１を有している点のみである。図１２において、図１に示すラジオ受信装置１に示した構成と同様の構成には同じ番号を付して説明を省略する。
【００７４】
図１２に示すように、ラジオ受信装置１００は、２つの前処理部（チューナ部）２０及び３０を有しているので、１方の前処理部を利用してＨＤ２（デジタル）を視聴している間に、他方の前処理部を利用して、他のチャンネルのサーチスキャンを行い、現状で良好に受信可能な他のチャンネルのＨＤ２（デジタル）放送（又はＨＤ１（デジタル））がどのチャンネル（周波数）なのかを検出することができる。サーチスキャンの方向は、現在同調されている周波数から周波数が増加する方向のアップスキャン、周波数が減少する方向のダウンスキャンの何れであっても良いし、全周波数帯域のスキャンを行うようにしても良い。
【００７５】
図１３は、マルチキャスト放送サービスにおいて第２音声を視聴している時に、受信状況が悪化した場合の第４の処理の概略を示す図である。
【００７６】
第４の処理では、図１２に示すラジオ受信装置１００を搭載する車両２が、マルチキャスト放送サービスにおいてＨＤ２（デジタル）を視聴している時に、デジタル受信エリア（図３の領域４）からフリンジエリア（図３の領域５）に移動して、ＢＥＲが通常の閾値Ｓ１（図４参照）より下がった場合（Ｐ５）には、その時点で良好に受信を行うことが可能な他のチャンネルのＨＤ２（デジタル）に切り替えるように構成した。なお、現在同調しているチャンネルのＨＤ２（デジタル）から、別のチャンネルのＨＤ２（デジタル）に基づく音声への切り替えは、図６に示すブレンド操作を行うように構成した。
【００７７】
図１４は、第４の処理フローを示す図である。
【００７８】
図１４に示す処理フローは、図１３に示す処理に基づくものであり、制御部６０が、予め記憶部７０等に記憶されたプログラムに従い、図１２に示すラジオ受信装置１００の各要素と協働して実行する。図１４に示す処理フローが実行される時点で、ラジオ受信装置１００の各要素には、不図示の電源回路から電力が供給され、動作可能な状態に維持されているものとする。
【００７９】
最初に制御部６０は、復調部５１から検出されたデジタル放送に関するＢＥＲを取得する（Ｓ５０）。
【００８０】
次に、制御部６０は、現在ＨＤ２（デジタル）がユーザによって選択されているか否かの判断を行い（Ｓ５１）、ＨＤ２（デジタル）が選択されていない場合には、ＨＤ１（デジタル）が選択されているか否かの判断を行う（Ｓ５２）。
【００８１】
Ｓ５２においてＨＤ１（デジタル）が選択されていない場合には、ＨＤ１（アナログ）が選択されていることとなり、切り替え制御が不要であるので、そこで一連の処理を終了する。
【００８２】
Ｓ５２においてＨＤ１（デジタル）が選択されている場合には、制御部６０は、Ｓ５０で取得したＢＥＲが、通常の閾値Ｓ１（図４参照）より低いか否かの判断を行い（Ｓ５３）、閾値Ｓ１よりＢＥＲが高い場合にはそのままＨＤ１（デジタル）の選択を継続し（Ｓ５４）、閾値Ｓ１よりＢＥＲが低い場合にはＨＤ１（アナログ）に変更して（Ｓ５５）、一連の処理を終了する。ＨＤ１（デジタル）とＨＤ１（アナログ）は、サイマル放送サービスによって、同じ番組内容であるので、そのまま切り替えを行えば良い。なお、切り替えに際しては、図６に示したブレンド操作を行うようにしても良い。
【００８３】
Ｓ５１においてＨＤ２（デジタル）が選択されていた場合には、制御部６０は、Ｓ５０で取得したＢＥＲが、通常の閾値Ｓ１よりも低いか否かの判断を行い（Ｓ５６）、閾値Ｓ１よりＢＥＲが高い場合には、そのままＨＤ２（デジタル）の選択を継続し（Ｓ５７）、閾値Ｓ１よりＢＥＲが低い場合には、その時点で良好に受信を行うことが可能な他のチャンネルのＨＤ２（デジタル）に基づく音声に変更して（Ｓ５８）、一連の処理を終了する。
【００８４】
このように、図１４に示す第４の処理フローでは、マルチキャスト放送サービスにおいて第２音声を視聴している時に、受信状況が悪化した場合には、その時点で良好に受信可能なチャンネルの音声を出力することができるので、突然音声出力が途切れて、ユーザに違和感を与えることを防止することが可能となった。
【図面の簡単な説明】
【００８５】
【図１】本発明に係るラジオ受信装置の概略構成を示すブロック図である。
【図２】ハイブリッド放送搬送波を示す図。
【図３】受信エリア等について説明するための図である。
【図４】ＣＮ比と放送局からの距離の関係を示す図である。
【図５】第１の処理の概略を示す図である。
【図６】ブレンド操作の概略を示す図である。
【図７】第１の処理フローを示す図である。
【図８】第２の処理の概略を示す図である。
【図９】第２の処理フローを示す図である。
【図１０】第３の処理の概略を示す図である。
【図１１】第３の処理フローを示す図である。
【図１２】本発明に係る他のラジオ受信装置の概略構成を示すブロック図である。
【図１３】第４の処理の概略を示す図である。
【図１４】第４の処理フローを示す図である。
【符号の説明】
【００８６】
１、１００    ラジオ受信装置
１０、１１    アンテナ
２０、３０    前処理部
４０    デジタル処理部
５０    ＩＢＯＣ処理部
６０    制御部
７０    記憶部
８０    操作部
９０    音声出力部
【図１】
2010136183.tif 000003
【図２】
2010136183.tif 000004
【図３】
2010136183.tif 000005
【図４】
2010136183.tif 000006
【図５】
2010136183.tif 000007
【図６】
2010136183.tif 000008
【図７】
2010136183.tif 000009
【図８】
2010136183.tif 000010
【図９】
2010136183.tif 000011
【図１０】
2010136183.tif 000012
【図１１】
2010136183.tif 000013
【図１２】
2010136183.tif 000014
【図１３】
2010136183.tif 000015
【図１４】
2010136183.tif 000016